(57)【特許請求の範囲】
【請求項１】
第１プロジェクターが固定される第１支持部材と、
第２プロジェクターが固定される第２支持部材と、
前記第１支持部材及び前記第２支持部材を接続するとともに、前記第１支持部材に固定された前記第１プロジェクター、または前記第２支持部材に固定された前記第２プロジェクターによる画像の投射方向に沿う方向と、前記第１プロジェクターまたは前記第２プロジェクターの厚み方向に沿う方向とに直交する回転軸を中心として、前記第１支持部材及び前記第２支持部材を相対的に回転させることで、前記第２プロジェクターの天面の少なくとも一部を覆う第１位置、または、前記第２プロジェクターの天面を開放する第２位置に前記第１プロジェクターを位置付ける移動機構と、を備える
ことを特徴とする支持具。
【請求項２】
請求項１に記載の支持具において、
前記回転軸は、
前記第１プロジェクターまたは前記第２プロジェクターに対して前記投射方向とは逆方向の側に設けられている
ことを特徴とする支持具。
【請求項３】
請求項１または請求項２に記載の支持具において、
前記第１支持部材及び前記第２支持部材の相対的な回転を抑制する回転抑制機構を備え、
前記回転抑制機構は、
付勢部材を備え、前記付勢部材の付勢力により、前記第１プロジェクターを前記第２位置に位置付けた状態に維持する
ことを特徴とする支持具。
【請求項４】
請求項３に記載の支持具において、
前記付勢部材は、前記第１支持部材及び前記第２支持部材のいずれか一方に設けられ、
前記回転抑制機構は、
前記第１支持部材及び前記第２支持部材のいずれか他方に設けられ、前記第１支持部材及び前記第２支持部材の相対的な回転に応じて前記付勢部材に当接する当接部を備え、
前記当接部は、
前記第１プロジェクターが前記第１位置に位置する状態から前記第２位置に位置する状態へと前記第１支持部材及び前記第２支持部材が相対的に回転するにしたがって、前記回転軸から前記付勢部材に当接する当接位置までの長さ寸法が大きくなるように形成されている
ことを特徴とする支持具。
【請求項５】
第１プロジェクターと、第２プロジェクターと、請求項１から請求項４のいずれかに記載の支持具とを備える
ことを特徴とするプロジェクションシステム。
【発明の詳細な説明】
【技術分野】
【０００１】
本発明は、支持具、及びプロジェクションシステムに関する。
【背景技術】
【０００２】
従来、複数のプロジェクターを用いた映像表示システム（プロジェクションシステム）が知られている（例えば、特許文献１参照）。
特許文献１に記載のプロジェクションシステムでは、複数のプロジェクターから投射された各画像をスクリーン上で重ね合わせることで、スクリーン上に投射画像を表示するスタック投射方式が採用されている。
そして、このようなスタック投射方式を採用することで、１つのプロジェクターのみを用いた場合と比較して、スクリーン上に明るさを向上させた投射画像を表示させることや、立体画像や２種類の画像の観察が可能な投射画像を表示させることができる。
【先行技術文献】
【特許文献】
【０００３】
【特許文献１】特開２０１１−３３８０５号公報
【発明の概要】
【発明が解決しようとする課題】
【０００４】
ところで、スタック投射方式では、上述したように、複数のプロジェクターから投射された各画像をスクリーン上で重ね合わせる必要がある。
このため、プロジェクションシステムを構築する際には、複数のプロジェクター間の相対的な位置関係が重要となる。
例えば、第１，第２プロジェクターの２台を用いた場合には、スクリーン上で第１，第２プロジェクターから投射された各画像が重なり合うように、第１，第２プロジェクターの姿勢を適宜、変更する必要がある。
すなわち、第１，第２プロジェクターの姿勢を適宜、変更する作業が必要であるため、プロジェクションシステムを構築することが難しい、という問題がある。
【０００５】
本発明の目的は、プロジェクションシステムを容易に構築することができる支持具、及びプロジェクションシステムを提供することにある。
【課題を解決するための手段】
【０００６】
本発明の支持具は、第１プロジェクターが固定される第１支持部材と、第２プロジェクターが固定される第２支持部材と、前記第１支持部材及び前記第２支持部材を接続するとともに、前記第１支持部材に固定された前記第１プロジェクター、または前記第２支持部材に固定された前記第２プロジェクターによる画像の投射方向に沿う方向と、前記第１プロジェクターまたは前記第２プロジェクターの厚み方向に沿う方向とに直交する回転軸を中心として、前記第１支持部材及び前記第２支持部材を相対的に回転させることで、前記第２プロジェクターの天面の少なくとも一部を覆う第１位置、または、前記第２プロジェクターの天面を開放する第２位置に前記第１プロジェクターを位置付ける移動機構と、を備えることを特徴とする。
【０００７】
本発明では、支持具は、上述した第１，第２支持部材及び移動機構を備える。
このことにより、利用者は、第１，第２プロジェクターを第１，第２支持部材に固定し、移動機構にて第１，第２支持部材を相対的に移動させる。このように移動させることで、第１プロジェクターを、第２プロジェクターの天面（床等に設置した際の上面）の少なくとも一部を覆う位置（第１位置）に位置付けることができる。
ここで、第１，第２プロジェクターを第１，第２支持部材に固定する際に、第１プロジェクターが第１位置に位置付けられた際に、第１，第２プロジェクターからの画像の投射側が同じ側に位置するように設定しておく。
【０００８】
このように設定しておけば、第１プロジェクターを第１位置に位置付けた状態で、第１，第２プロジェクターを動作させることで、スタック投射を行うことができる。
すなわち、第１，第２プロジェクターを第１，第２支持部材に固定し、移動機構にて第１プロジェクターを第１位置に位置付けるだけで、第１，第２プロジェクター間の相対的な位置関係を容易に規定できる。
したがって、第１，第２プロジェクターを備えたプロジェクションシステムを構築する際に、上述した支持具を用いれば、プロジェクションシステムを容易に構築することができる。
【０００９】
ところで、プロジェクターでは、以下の構成が多用される。
すなわち、プロジェクター（外装筐体）の天面には、当該プロジェクターの電源をオンまたはオフするための電源ボタン等を有する操作パネルが設けられている。
また、プロジェクターの天面には、内部の光源ランプを交換するために外装筐体に着脱可能にランプ蓋が取り付けられる。
そして、上記の構成を考慮した場合には、プロジェクションシステムを構築する際に、第１，第２プロジェクターを以下に示すように配設する必要がある。
【００１０】
すなわち、操作性を考慮した場合には、第１，第２プロジェクターの各天面に設けられた各操作パネルを利用者に操作させることができるように、第１，第２プロジェクターを互いに離間して配設する必要がある。
また、メンテナンス性を考慮した場合も同様に、第１，第２プロジェクターの各天面に設けられた各ランプ蓋を利用者に着脱させることができるように、第１，第２プロジェクターを互いに離間して配設する必要がある。
【００１１】
本発明では、移動機構にて第１，第２支持部材を相対的に移動させることで、第１プロジェクターを第１位置に位置付けることができるとともに、第２プロジェクターの天面から離間し当該天面を開放する位置（第２位置）にも位置付けることができる。
すなわち、スタック投射を行う時には、第１プロジェクターを第１位置に位置付ける。そして、スタック投射を行わない時には、第１プロジェクターを第２位置に位置付ける。
このように、スタック投射を行わない時に第１プロジェクターを第２位置に位置付けることで、第２プロジェクターの天面が開放されるため、第２プロジェクターの天面に設けられた操作パネルを利用者に操作させることができる。また、第２プロジェクターの天面に設けられたランプ蓋を利用者に着脱させることができる。
【００１２】
なお、第１プロジェクターの天面については、開放された状態が維持されている。このため、第１プロジェクターを第１位置に位置付けた状態であっても、第２位置に位置付けた状態であっても、第１プロジェクターにおける操作パネルの操作やランプ蓋の着脱を利用者に実施させることができる。
以上のように、第１プロジェクターを第２位置に位置付けることで、第２プロジェクターの操作性やメンテナンス性が確保される。このため、スタック投射を行う時（第１プロジェクターを第１位置に位置付けた時）に、第１，第２プロジェクターを近接した状態に設定することが可能となる。
すなわち、スタック投射を行う際に、第１，第２プロジェクター及び支持具が一体化されたユニットをコンパクトに纏めることができる。
【００１３】
本発明の支持具では、前記移動機構は、所定の回転軸を中心として、前記第１支持部材及び前記第２支持部材を相対的に回転させることで、前記第１プロジェクターを前記第１位置または前記第２位置に位置付け、前記回転軸は、前記第１支持部材に固定された前記第１プロジェクター、または前記第２支持部材に固定された前記第２プロジェクターによる画像の投射方向に沿う方向と、前記第１プロジェクターまたは前記第２プロジェクターの厚み方向に沿う方向とに直交する。
【００１４】
本発明では、移動機構は、第１プロジェクターまたは第２プロジェクターからの画像の投射方向に沿う方向、及び第１プロジェクターまたは第２プロジェクターの厚み方向（天面から底面に向う方向）に沿う方向に直交する回転軸を中心として、第１，第２支持部材を相対的に回転させる。
このことにより、移動機構にて第１，第２支持部材を相対的に回転させることで、例えば、第１プロジェクターからスクリーンに投射された画像の位置（投射位置）を調整し、第２プロジェクターからスクリーンに投射された画像に重ね合わせることができる。
したがって、上述した移動機構により、第１，第２プロジェクターの操作性やメンテナンス性を確保しつつ、投射位置の調整も行うことができ、利便性の向上が図れる。
【００１５】
本発明の支持具では、前記回転軸は、前記第１プロジェクターまたは前記第２プロジェクターに対して前記投射方向とは逆方向の側に設けられていることが好ましい。
ところで、第１プロジェクターまたは第２プロジェクターの背面（画像を投射する側の前面に対向する面）の位置よりも前面側に回転軸を設けた場合には、以下の問題が生じてしまう。
すなわち、第１，第２支持部材を相対的に回転させる際に、第１，第２プロジェクターの機械的な干渉を回避するために、第１プロジェクターを第１位置に位置付けた状態で、第１，第２プロジェクターを互いに離間した状態に設定する必要がある。
【００１６】
本発明では、回転軸は、第１プロジェクターまたは第２プロジェクターに対して投射方向とは逆方向の側に設けられている。
このことにより、スタック投射を行う時（第１プロジェクターを第１位置に位置付けた時）に、第１，第２プロジェクターを近接した状態に設定することができる。
すなわち、上述したように第１，第２プロジェクターを近接した状態に設定しても、第１，第２プロジェクターの機械的な干渉を回避しつつ、第１，第２支持部材を相対的に回転させて、第１プロジェクターを第２位置に位置付けることができる。
したがって、スタック投射を行う際に、第１，第２プロジェクター及び支持具が一体化されたユニットをコンパクトに纏めることできる。
【００１７】
本発明の支持具では、前記第１支持部材及び前記第２支持部材の相対的な回転を抑制する回転抑制機構を備え、前記回転抑制機構は、付勢部材を備え、前記付勢部材の付勢力により、前記第１プロジェクターを前記第２位置に位置付けた状態に維持することが好ましい。
ところで、プロジェクションシステムを構築する際、第１，第２プロジェクターが固定された支持具を床等に設置する場合（以下、正置き設置）と、当該支持部を天井等に吊下げて設置する場合（以下、天吊り設置）とが考えられる。
【００１８】
ここで、正置き設置の場合には、支持具に固定された第１，第２プロジェクターは、第１プロジェクターが第１位置に位置付けられた状態で、天面が底面に対して上方側に位置する姿勢となる。
一方、天吊り設置の場合には、支持具に固定された第１，第２プロジェクターは、第１プロジェクターが第１位置に位置付けられた状態で、正置き設置の場合とは逆に、天面が床面に対して下方側に位置する姿勢となる。
【００１９】
すなわち、天吊り設置の場合には、第１プロジェクター（第１支持部材）は、第２プロジェクター（天井等に吊下げられた第２支持部材）に対して下方側に位置することとなる。このため、第１プロジェクターを第２位置に位置付けた場合には、第１プロジェクターは、第１プロジェクターや第１支持部材の自重により、第２位置に位置付けられた状態が維持される。
一方、正置き設置の場合には、第１プロジェクター（第１支持部材）は、第２プロジェクター（床等に設置された第２支持部材）に対して上方側に位置することとなる。このため、第１プロジェクターを第２位置に位置付けた場合には、第１プロジェクターや第１支持部材の自重により、第１プロジェクターが第１位置に戻る方向に、第２支持部材に対して第１支持部材が回転してしまう恐れがある。
【００２０】
本発明では、支持具は、付勢力によって第１プロジェクターの位置（第２位置）を維持する付勢部材を有する回転抑制機構を備える。
このことにより、正置き設置の場合において、第１プロジェクターや第１支持部材の自重により、第１プロジェクターが第１位置に戻る方向に、第２支持部材に対して第１支持部材が回転してしまうことを回避できる。また、天吊り設置においても、第１プロジェクターを安定した状態に維持できる。
このため、正置き設置及び天吊り設置の場合において、第１プロジェクターを第２位置に位置付けた状態で、第２プロジェクターにおける操作パネルの操作やランプ蓋の着脱を利用者に良好に実施させることができる。
【００２１】
本発明の支持具では、前記付勢部材は、前記第１支持部材及び前記第２支持部材のいずれか一方に設けられ、前記回転抑制機構は、前記第１支持部材及び前記第２支持部材のいずれか他方に設けられ、前記第１支持部材及び前記第２支持部材の相対的な回転に応じて前記付勢部材に当接する当接部を備え、前記当接部は、前記第１プロジェクターが前記第１位置に位置する状態から前記第２位置に位置する状態へと前記第１支持部材及び前記第２支持部材が相対的に回転するにしたがって、前記回転軸から前記付勢部材に当接する当接位置までの長さ寸法が大きくなるように形成されていることが好ましい。
【００２２】
ところで、天吊り設置の場合には、上述したように、第１プロジェクター（第１支持部材）は、第２プロジェクター（天井等に吊下げられた第２支持部材）に対して下方側に位置することとなる。このため、第１プロジェクターを第１位置から第２位置に位置付ける際、第１プロジェクターや第１支持部材の自重により、第２支持部材に対して第１支持部材が急激に回転してしまう恐れがある。
本発明では、支持具は、上述した付勢部材及び当接部を有する回転抑制機構を備える。
そして、当接部は、回転軸から付勢部材に当接する当接位置までの長さ寸法が上述したように形成されている。
【００２３】
このことにより、第１プロジェクターが第１位置に位置する状態から第２位置に位置する状態へと第２支持部材に対して第１支持部材が回転するにしたがって、当接部から付勢部材への押圧力が大きいものとなる。言い換えれば、上述したように回転するにしたがって、当接部及び付勢部材間の摩擦力が大きいものとなる。
すなわち、回転抑制機構は、上述したように回転する際のブレーキ機構として機能する。
したがって、天吊り設置の場合において、第１プロジェクターを第１位置から第２位置に位置付ける際、第２支持部材に対して第１支持部材が急激に回転してしまうことを抑制できる。
【００２４】
本発明のプロジェクションシステムは、第１プロジェクターと、第２プロジェクターと、上述した支持具とを備えることを特徴とする。
本発明では、プロジェクションシステムは、上述した支持具を備えるので、上述した支持具と同様の作用及び効果を享受できる。
【図面の簡単な説明】
【００２５】
【図１】本実施形態におけるプロジェクションシステムの使用形態を示す斜視図。
【図２】本実施形態における支持具の構成を示す図。
【図３】本実施形態における支持具の構成を示す図。
【図４】本実施形態における移動機構の機能を説明するための図。
【図５】本実施形態における取付ネジの構成を示す図。
【図６】本実施形態における取付ネジの配設位置を説明するための図。
【図７】本実施形態における位置決め用ネジの機能を説明するための図。
【図８】本実施形態における回転抑制機構の機能を説明するための図。
【図９】本実施形態における回転抑制機構の機能を説明するための図。
【発明を実施するための形態】
【００２６】
以下、本発明の一実施形態を図面に基づいて説明する。
〔プロジェクションシステムの構成〕
図１は、本実施形態におけるプロジェクションシステム１の使用形態を示す斜視図である。
本実施形態では、プロジェクションシステム１は、スタック投射により反射型のスクリーンＳｃ（図１）上に投射画像ＰＦ（図１）を表示するとともに、観察者に投射画像ＰＦを立体視させる３Ｄプロジェクションシステムで構成されている。
そして、プロジェクションシステム１は、図１に示すように、第１プロジェクター２Ｕと、第２プロジェクター２Ｄと、偏光眼鏡３と、支持具４（図２，図３参照）とを備える。
【００２７】
〔第１，第２プロジェクターの構成〕
第１プロジェクター２Ｕは、左目用画像を形成して、当該左目用画像を所定の直線偏光（以下、第１直線偏光）でスクリーンＳｃ上に投射する。
第２プロジェクター２Ｄは、右目用画像を形成して、当該右目用画像を第１直線偏光に対して偏光方向が直交する第２直線偏光でスクリーンＳｃ上に投射する。
そして、スクリーンＳｃ上には、左目用画像と右目用画像とが互いに重ね合わされた投射画像ＰＦが表示される。
【００２８】
以上説明した第１，第２プロジェクター２Ｕ，２Ｄは、同一の構成を有する。
このため、以下では、第１プロジェクター２Ｕの構成を主に説明し、第２プロジェクター２Ｄについては、第１プロジェクター２Ｕと同一の符号を付して説明を省略する。
第１プロジェクター２Ｕは、図１に示すように、外装を構成する外装筐体２１と、外装筐体２１内部に収納される光学ユニット２２（図２参照）等を備える。
外装筐体２１は、図１に示すように、床や机上等に設置される正置き設置の場合に上方側に位置する天面２１Ａ、及び下方側に位置する底面２１Ｂと、投射側に位置する前面２１Ｃと、投射側とは反対側に位置する背面２１Ｄと、側方に位置する各側面２１Ｅ，２１Ｆとを有する略直方体形状を有する。
光学ユニット２２は、光源装置と、液晶パネル等の光変調装置と、投射レンズ２２１（図２参照）とを備える。そして、光源装置から出射された光束は、光変調装置にて変調され、投射レンズ２２１からスクリーンＳｃに投射される。
【００２９】
〔偏光眼鏡の構成〕
偏光眼鏡３は、観察者が装着するものであり、図１に示すように、左目用透過部３１と、右目用透過部３２とを備える。
左目用透過部３１は、透過軸が第１直線偏光の偏光方向と同一方向となる偏光レンズで構成されている。
右目用透過部３２は、透過軸が第２直線偏光の偏光方向と同一方向となる偏光レンズで構成されている。
【００３０】
以上の構成によって、プロジェクションシステム１では、スクリーンＳｃ上の投射画像ＰＦに含まれる左目用画像は、左目用透過部３１を通して、観察者の左目のみで視認される。また、投射画像ＰＦに含まれる右目用画像は、右目用透過部３２を通して、観察者の右目のみで視認される。
このため、観察者は、スクリーンＳｃ上の投射画像ＰＦを視差により立体視する。
【００３１】
〔支持具の構成〕
図２及び図３は、支持具４の構成を示す図である。具体的に、図２は、第１，第２プロジェクター２Ｕ，２Ｄが支持具４に支持されるとともに、第１プロジェクター２Ｕが第１位置に位置付けられた状態を前方側（投射側）から見た斜視図である。図３は、分解された支持具４を側方から見た図である。
支持具４は、図２に示すように、第２プロジェクター２Ｄの天面２１Ａ側に第１プロジェクター２Ｕが配置され、第１，第２プロジェクター２Ｕ，２Ｄの投射レンズ２２１が同一側を向くように第１，第２プロジェクター２Ｕ，２Ｄを支持する。
支持具４は、床や机上等に設置される正置き設置（第１，第２プロジェクター２Ｕ，２Ｄの天面２１Ａが底面２１Ｂに対して上方側に位置し、第１プロジェクター２Ｕが第２プロジェクター２Ｄの上方側に位置する姿勢））、及び正置き設置に対して上下が反転され、天井等に設置される天吊り設置が可能に構成されている。なお、図２及び図３は、正置き設置の場合を図示したものである。以下の図４、図６ないし図９も同様である。
また、以下では、説明の便宜上、第２プロジェクター２Ｄからの画像の投射方向をＺ軸（投射方向を＋、投射方向の逆方向を−）、当該Ｚ軸に直交する水平軸をＸ軸、当該Ｚ軸に直交する鉛直軸をＹ軸（正置き設置における上方側を＋、下方側を−）とする（図２，図３）。
支持具４は、第１，第２プロジェクター２Ｕ，２Ｄを支持する。
この支持具４は、図２または図３に示すように、第１支持部材５と、第２支持部材６と、移動機構７と、回転抑制機構８（図８，図９参照）とを備える。
【００３２】
〔第１支持部材の構成〕
第１支持部材５は、第１プロジェクター２Ｕを支持する部材である。
この第１支持部材５は、図２または図３に示すように、第１固定部５１と、一対の第１接続部５２Ａ，５２Ｂとを備える。
第１固定部５１は、第１プロジェクター２Ｕの底面２１Ｂと略同一のサイズを有する矩形状の板体で構成されている。
そして、第１プロジェクター２Ｕ（底面２１Ｂ）は、図２に示すように、第１固定部５１の板面（図２または図３中の上面）にネジ（図示略）により固定される。
【００３３】
一対の第１接続部５２Ａ，５２Ｂは、第１固定部５１におけるＸ軸方向に沿って互いに対向する各端縁にそれぞれ接続し、当該各端縁から、図２または図３中、下方側に向けて垂設された板体で構成されている。
より具体的に、一対の第１接続部５２Ａ，５２Ｂは、図２または図３に示すように、ＹＺ平面に平行となる板体で構成されている。
なお、一対の第１接続部５２Ａ，５２Ｂは、同様の機能（後述する取付用孔５２１及び位置決め用ネジ孔５２２Ａ〜５２２Ｄ）を有するものであるため、以下では、図２中、右側に位置する第１接続部５２Ａを主に説明する。
【００３４】
第１接続部５２Ａには、図３に示すように、Ｘ軸方向に沿って貫通し、後述する取付ネジ７１が螺合される取付用孔５２１が形成されている。
なお、一対の第１接続部５２Ａ，５２Ｂに形成された各取付用孔５２１は、具体的な図示は省略したが、Ｘ軸方向に沿って互いに対向する位置に形成されている。
また、第１接続部５２Ａには、図３に示すように、Ｘ軸方向に沿って貫通し、後述する位置決め用ネジ７２が螺合される４つの位置決め用ネジ孔５２２Ａ〜５２２Ｄが形成されている。
なお、４つの位置決め用ネジ孔５２２Ａ〜５２２Ｄの機能については、後述する。
【００３５】
〔第２支持部材の構成〕
第２支持部材６は、第２プロジェクター２Ｄを支持する部材である。
この第２支持部材６は、図２または図３に示すように、第１支持部材５と略同様に、第２固定部６１と、一対の第２接続部６２Ａ，６２Ｂ（図２，図４参照）とを備える。
第２固定部６１は、第２プロジェクター２Ｄの底面２１Ｂに対して、Ｘ軸方向の寸法が若干大きく形成された矩形状の板体で構成されている。
そして、第２プロジェクター２Ｄ（底面２１Ｂ）は、図２に示すように、第１位置に位置付けられた状態で投射方向が＋Ｚ軸側に向くように、第２固定部６１の板面（図２または図３中の上面）にネジ（図示略）により固定される。なお、詳細な説明は省略するが、第２固定部６１には、正置き設置される際に、床や机等の設置面に当接する複数の脚部６１２（図３）が設けられている。
【００３６】
一対の第２接続部６２Ａ，６２Ｂは、第２固定部６１におけるＸ軸方向に沿って互いに対向する各端縁にそれぞれ接続し、当該各端縁の一部から、図２または図３中、上方側に向けて垂設された板体で構成されている。
より具体的に、一対の第２接続部６２Ａ，６２Ｂは、図２または図３に示すように、一対の第１接続部５２Ａ，５２Ｂと同様に、ＹＺ平面に平行となる板体で構成されている。
そして、支持具４を組み立てた状態では、一対の第２接続部６２Ａ，６２Ｂは、一対の第１接続部５２Ａ，５２ＢをＸ軸方向の両側から挟む位置に位置付けられる。
【００３７】
なお、一対の第２接続部６２Ａ，６２Ｂは、同様の機能（後述するスリット６２１、挿通用孔６２２、４つの位置決め用挿通孔６２３Ａ〜６２３Ｄ）を有するものであるため、以下では、図２中、右側に位置する第２接続部６２Ａを主に説明する。
第２接続部６２Ａは、図３に示すように、平面視で略矩形形状を有する。
この第２接続部６２Ａには、スリット６２１と、挿通用孔６２２と、４つの位置決め用挿通孔６２３Ａ〜６２３Ｄとが形成されている。
【００３８】
スリット６２１は、図３に示すように、第２接続部６２Ａにおける−Ｚ軸側の端縁６２４から、支持具４を組み立てた状態で、取付用孔５２１に対向する位置に向けて延びるように形成されている。
挿通用孔６２２は、図３に示すように、Ｘ軸方向に沿って第２接続部６２Ａを貫通するとともにスリット６２１に連通する円孔で構成され、支持具４を組み立てた状態で取付用孔５２１に対向する位置に形成されている。
なお、挿通用孔６２２は、図３に示すように、内径寸法がスリット６２１の幅寸法よりも大きくなるように形成されている。
４つの位置決め用挿通孔６２３Ａ〜６２３Ｄは、図２または図３に示すように、Ｘ軸方向に沿って第２接続部６２Ａを貫通し、後述する位置決め用ネジ７２が挿通される孔である。
なお、４つの位置決め用挿通孔６２３Ａ〜６２３Ｄの機能については、後述する。
【００３９】
〔移動機構の構成〕
図４は、移動機構７の機能を説明するための図である。具体的に、図４は、第１，第２プロジェクター２Ｕ，２Ｄが支持具４に支持されるとともに、第１プロジェクター２Ｕが第２位置に位置付けられた状態を前方側から見た斜視図である。
移動機構７は、第１，第２支持部材５，６を接続するとともに、第１，第２支持部材５，６を相対的に移動させ、第１プロジェクター２Ｕを第１位置（図２）または第２位置（図４）に位置付ける。
なお、第１位置は、図２に示すように、第２プロジェクター２Ｄの天面２１Ａに対して第１プロジェクター２Ｕの底面２１Ｂが近接し、第１プロジェクター２Ｕが第２プロジェクター２Ｄの天面２１Ａの一部（天面２１Ａにおける−Ｚ軸側の部分）を覆う位置である。すなわち、第１プロジェクター２Ｕは、第１位置に位置付けられた状態で、第２プロジェクター２Ｄに対して、−Ｚ軸側にずれた位置に位置付けられる。
第２位置は、図４に示すように、第２プロジェクター２Ｄの天面２１Ａに対して第１プロジェクター２Ｕの底面２１Ｂが離間し、第２プロジェクター２Ｄの天面２１Ａを開放する位置である。
本実施形態では、移動機構７は、図２または図４に示すように、第１，第２支持部材５，６を相対的に回転させることで、第１プロジェクター２Ｕを第１位置または第２位置に位置付けるように構成されている。
【００４０】
この移動機構７は、図２ないし図４に示すように、第１支持部材５に設けられた一対の第１接続部５２Ａ，５２Ｂと、第２支持部材６に設けられた一対の第２接続部６２Ａ，６２Ｂと、一対の取付ネジ７１と、一対の位置決め用ネジ７２とを備える。
なお、一対の第１接続部５２Ａ，５２Ｂ、及び一対の第２接続部６２Ａ，６２Ｂの構成については、上記第１，第２支持部材５，６の構成で説明したので、以下では、取付ネジ７１と、位置決め用ネジ７２について説明する。
【００４１】
〔取付ネジの構成〕
図５は、取付ネジ７１の構成を示す図である。
一対の取付ネジ７１は、第１接続部５２Ａ，５２Ｂのそれぞれの取付用孔５２１に螺合され、締められることによって、第１接続部５２Ａ，５２Ｂとで第２接続部６２Ａ，６２Ｂをそれぞれ挟持可能に構成されている。
なお、一対の取付ネジ７１は、同一の形状を有するため、以下では、１つの取付ネジ７１のみを説明する。
取付ネジ７１は、図５に示すように、軸部７１１と、頭部７１２と、テーパー部７１３と、嵌合部７１４とを備える。
【００４２】
軸部７１１は、直線状に延びる円柱形状を有する。
そして、軸部７１１は、外周にネジ溝７１１Ａが形成され、取付用孔５２１に螺合する。
なお、軸部７１１の外径寸法は、スリット６２１の幅寸法よりも小さくなるように形成されている。また、軸部７１１の先端には、止め輪（図示略）が組み込まれる溝７１１Ｂ（図５）が形成されており、取付ネジ７１は、取付用孔５２１に螺合された後、溝７１１Ｂに止め輪が組み込まれ、第１接続部５２Ａ，５２Ｂからの脱落防止が図られている。
頭部７１２は、軸部７１１の一端側に形成され、略円柱形状を有する。
なお、頭部７１２の外径寸法は、軸部７１１の外径寸法よりも大きく、挿通用孔６２２の内径寸法よりも大きくなるように設定されている。
【００４３】
嵌合部７１４は、頭部７１２における軸部７１１側の端面に一体形成され、円柱形状を有する。
なお、嵌合部７１４の外径寸法は、軸部７１１の外径寸法よりも大きく、頭部７１２の外径寸法よりも小さくなるように設定されている。また、嵌合部７１４の外径寸法は、挿通用孔６２２の内径寸法と略同一となるように設定されている。
テーパー部７１３は、軸部７１１の外周と、嵌合部７１４の外周とを接続する部分であり、軸部７１１側から嵌合部７１４側に向うにしたがって断面積が次第に大きくなる円錐台形状を有する。
なお、上述した軸部７１１、頭部７１２、嵌合部７１４、及びテーパー部７１３は、各中心線ＣＬ（図５）が一致するように一体形成されている。
【００４４】
そして、第１，第２支持部材５，６に第１，第２プロジェクター２Ｕ，２Ｄがそれぞれ固定された状態で、第１支持部材５は、第２支持部材６に対して、以下に示すように組み立てられる。
なお、第２支持部材６に対する第１支持部材５の組立方法としては、正置き設置の場合での組立方法と、天吊り設置（第１，第２プロジェクター２Ｕ，２Ｄの天面２１Ａが底面２１Ｂに対して下方側に位置する姿勢（第１支持部材５が天井等に吊下げられた第２支持部材６に対して下方側に位置する姿勢））の場合での組立方法とが考えられる。
すなわち、正置き設置の場合には、床等に設置された第２支持部材６に対して、第１支持部材５を組み立てる。
また、天吊り設置の場合には、天井等から吊下げられた第２支持部材６に対して、第１支持部材５を組み立てる。
以下では、正置き設置及び天吊り設置の双方の場合において、第２支持部材６に対する第１支持部材５の組立方法が略同様であるため、正置き設置の場合での組立方法のみを説明する。
【００４５】
先ず、利用者は、一対の取付用孔５２１に対して、一対の取付ネジ７１を緩めた状態でそれぞれ螺合しておく。
次に、利用者は、第１支持部材５（第１プロジェクター２Ｕ）を手で持ち、一対の第２接続部６２Ａ，６２Ｂ間に一対の第１接続部５２Ａ，５２Ｂが位置するように、床等に設置された第２支持部材６に対して第１支持部材５を近付ける。また、利用者は、一対の取付ネジ７１の各軸部７１１を一対の第２接続部６２Ａ，６２Ｂにおける−Ｚ軸側の端縁６２４の各スリット６２１の形成位置にあてがう。
次に、利用者は、スリット６２１に沿って第１支持部材５（軸部７１１）を移動させ、軸部７１１を挿通用孔６２２内に位置付ける。
【００４６】
最後に、利用者は、取付用孔５２１に対して取付ネジ７１をさらに締め付ける。
取付用孔５２１に対して取付ネジ７１をさらに締め付けると、挿通用孔６２２の内縁上でテーパー部７１３が摺動しながら、取付用孔５２１に向けて取付ネジ７１が移動し、結果として、挿通用孔６２２に嵌合部７１４が嵌合する。
ここで、一対の取付用孔５２１は、上述したように、Ｘ軸方向に沿って互いに対向する位置に形成されている。このため、一対の取付ネジ７１を一対の取付用孔５２１に螺合した状態では、一対の取付ネジ７１の各中心線ＣＬは、一致することとなる。また、挿通用孔６２２は、円孔で構成されている。さらに、嵌合部７１４は、円柱形状を有している。このため、挿通用孔６２２に嵌合部７１４が嵌合した状態では、図２または図４に示すように、一対の取付ネジ７１が回転軸として機能し、床等に設置された第２支持部材６に対して、中心線ＣＬを中心として第１支持部材５が回転することとなる。
【００４７】
図６は、取付ネジ７１の配設位置を説明するための図である。具体的に、図６は、第１接続部５２Ａ及び第１，第２プロジェクター２Ｕ，２Ｄの間を通るＹＺ平面で図２に示すユニット（支持具４により第１，第２プロジェクター２Ｕ，２Ｄが一体化されたユニット）を切断した断面図である。
一対の取付ネジ７１（取付用孔５２１）は、図６に示すように、中心線ＣＬが第２プロジェクター２Ｄの投射方向（Ｚ軸方向）に沿う方向（第１仮想線ＶＬ１方向）と、第２プロジェクター２Ｄの厚み方向（天面２１Ａから底面２１Ｂに向う方向（Ｙ軸方向））に沿う方向（第２仮想線ＶＬ２方向）とに直交するように配設されている。
また、一対の取付ネジ７１は、第２プロジェクター２Ｄに対して−Ｚ軸側、つまり第２プロジェクター２Ｄの背面２１Ｄの−Ｚ軸側に位置するように配設されている。
【００４８】
〔位置決め用ネジの構成〕
図７は、位置決め用ネジ７２の機能を説明するための図である。具体的に、図７は、第１，第２プロジェクター２Ｕ，２Ｄが支持具４に支持されるとともに、第１プロジェクター２Ｕが第１位置に位置付けられた状態を側方から見た図である。
位置決め用ネジ７２は、位置決め用ネジ孔５２２Ａ〜５２２Ｄ、位置決め用挿通孔６２３Ａ〜６２３Ｄとともに、第１位置において、第２支持部材６に対する第１支持部材５の回転位置（第１プロジェクター２Ｕの投射位置）を調整する機能を有する。
例えば、図７に示すように、位置決め用挿通孔６２３Ａ（図３）に位置決め用ネジ７２を挿通し、位置決め用ネジ孔５２２Ａ（図３）に位置決め用ネジ７２を螺合することで、第２支持部材６に対する第１支持部材５の回転が規制される。
【００４９】
なお、本実施形態では、第２支持部材６に対する第１支持部材５の回転位置は、４段階で調整可能に構成されている。
すなわち、位置決め用ネジ孔５２２Ａ、位置決め用挿通孔６２３Ａを利用して位置決め用ネジ７２を螺合した場合に、第１支持部材５が第１の回転位置に規定される。
同様に、位置決め用ネジ孔５２２Ｂ、位置決め用挿通孔６２３Ｂを利用した場合、位置決め用ネジ孔５２２Ｃ、位置決め用挿通孔６２３Ｃを利用した場合、及び位置決め用ネジ孔５２２Ｄ、位置決め用挿通孔６２３Ｄを利用した場合に、第１支持部材５は、第２〜第４の回転位置にそれぞれ規定される。
そして、第２支持部材６に対する第１支持部材５の回転位置は、第２プロジェクター２ＤからスクリーンＳｃ（図１）までの投射距離に対応した回転位置が選択されることで、スクリーンＳｃ上に投射される左目用画像と右目用画像とが重ね合わせ易いように設定されている。
【００５０】
〔回転抑制機構の構成〕
図８及び図９は、回転抑制機構８の機能を説明するための図である。具体的に、図８は、第１，第２接続部５２Ａ，６２Ａ間を通るＹＺ平面で図２に示すユニットを切断した断面図である。図９は、図８に示す一部を拡大した図であり、付勢部材８１と当接部８２との位置関係を示している。より具体的に、図９（Ａ）は、第１プロジェクター２Ｕが第１位置に位置した状態を示している。図９（Ｃ）は、第１プロジェクター２Ｕが第２位置に位置した状態を示している。図９（Ｂ）は、第１プロジェクター２Ｕが第１，第２位置の間に位置した状態を示している。
回転抑制機構８は、第２支持部材６に対する第１支持部材５の回転を抑制する。
この回転抑制機構８は、図８または図９に示すように、一対の付勢部材８１と、一対の当接部８２とを備える。
【００５１】
一対の付勢部材８１及び一対の当接部８２は、具体的な図示は省略したが、第２プロジェクター２Ｄに対して図２中、左側及び右側にそれぞれ配設されるものである。
なお、図８及び図９では、第２プロジェクター２Ｄに対して図２中、右側に配設される付勢部材８１及び当接部８２のみを図示している。
一対の付勢部材８１は、同様の形状を有するものである。なお、一対の当接部８２も同様である。このため、以下では、図８及び図９を参照しつつ、第２プロジェクター２Ｄに対して図２中、右側に配設された付勢部材８１及び当接部８２を主に説明する。
【００５２】
付勢部材８１は、図８または図９に示すように、Ｚ軸方向に沿って延びる板ばねで構成されている。
そして、付勢部材８１は、第２固定部６１の板面（図８，図９中の上面）にネジ（図示略）により取り付けられている。
また、第２固定部６１において、付勢部材８１の取付位置には、図８または図９に示すように、Ｚ軸方向に沿って延びる長孔６１１が形成されている。
なお、具体的な図示は省略したが、第２固定部６１において、長孔６１１は、一対の付勢部材８１に対応させて、第２プロジェクター２Ｄに対して図２中、左右両側にそれぞれ形成されている。
【００５３】
長孔６１１は、図８または図９に示すように、Ｚ軸方向の長さ寸法が付勢部材８１のＺ軸方向の長さ寸法よりも小さくなるように形成されている。また、長孔６１１は、具体的な図示は省略したが、Ｘ軸方向の幅寸法が付勢部材８１のＸ軸方向の幅寸法よりも大きくなるように形成されている。
すなわち、上述した長孔６１１を第２固定部６１に形成しておくことで、付勢部材８１は、図８または図９中、上方側から押圧された場合に、長孔６１１内部に向けて湾曲するように設定されている。
【００５４】
一対の当接部８２は、第１接続部５２Ａ，５２Ｂにおける図８、図９中、下方側の端縁（第２固定部６１側の端縁）にそれぞれ設けられ、第１，第２支持部材５，６の相対的な回転に応じて、一対の付勢部材８１にそれぞれ当接する。
具体的に、一対の当接部８２は、第１接続部５２Ａ，５２Ｂと同様にＹＺ平面に平行となる板体でそれぞれ構成されているとともに、第１接続部５２Ａ，５２Ｂに対して第２プロジェクター２Ｄ側にオフセットした位置に設けられている。
当接部８２において、図８，図９中、下方側の端縁には、第１，第２支持部材５，６の相対的な回転に応じて、付勢部材８１に当接する略円弧状の当接面８２１が設けられている。
【００５５】
当接面８２１は、＋Ｚ軸側から−Ｚ軸側に向って順次設けられた端部８２１Ａ、第１〜第３当接位置８２１Ｂ〜８２１Ｄを有している。
端部８２１Ａは、第１位置において最も−Ｙ軸側に位置する部位であり、中心線ＣＬからの長さ寸法Ｌ１が、図９（Ａ）に示すように、中心線ＣＬから付勢部材８１の上面までの長さ寸法Ｌ０よりも小さくなるように設定されている。
そして、端部８２１Ａの−Ｚ軸側に位置する第１当接位置８２１Ｂは、中心線ＣＬからの長さ寸法Ｌ２（図９（Ｂ））が、長さ寸法Ｌ０と同一となるように設定されている。
すなわち、当接面８２１は、端部８２１Ａから第１当接位置８２１Ｂにかけて、中心線ＣＬからの長さ寸法が長さ寸法Ｌ１から長さ寸法Ｌ２まで徐々に大きくなるように形成されている。
【００５６】
さらに、第１当接位置８２１Ｂの−Ｚ軸側に位置する第２当接位置８２１Ｃは、中心線ＣＬからの長さ寸法Ｌ３が、図９（Ｂ）に示すように、長さ寸法Ｌ０よりも大きくなるように設定されている。
すなわち、当接面８２１は、第１当接位置８２１Ｂから第２当接位置８２１Ｃにかけて、中心線ＣＬからの長さ寸法が長さ寸法Ｌ２から長さ寸法Ｌ３まで徐々に大きくなるように形成されている。
また、第２当接位置８２１Ｃの−Ｚ軸側に位置する第３当接位置８２１Ｄは、中心線ＣＬからの長さ寸法Ｌ４（図９（Ｃ））が、長さ寸法Ｌ３と同一となるように形成されている。
すなわち、当接面８２１は、第２当接位置８２１Ｃから第３当接位置８２１Ｄにかけて、中心線ＣＬを中心とする円弧状に形成されている。
【００５７】
次に、上述した回転抑制機構８の動作について説明する。
第１プロジェクター２Ｕが第１位置に位置付けられた状態では、上述したように、長さ寸法Ｌ０，Ｌ１の関係（Ｌ０＜Ｌ１）から、当接面８２１は、付勢部材８１に当接していない状態である（図９（Ａ））。
そして、図９（Ａ）に示す状態から第２支持部材６に対して第１支持部材５を回転させると、当該回転に応じて、当接部８２も回転することとなる。
すなわち、当接部８２の回転に応じて、当接面８２１における最も−Ｙ軸側に位置する部位は、端部８２１Ａから第１〜第３当接位置８２１Ｂ〜８２１Ｄの順に変化していくこととなる。
【００５８】
先ず、当接面８２１における最も−Ｙ軸側に位置する部位が端部８２１Ａから第１当接位置８２１Ｂに変化すると、長さ寸法Ｌ２が長さ寸法Ｌ０と同一に設定されているため、当接面８２１は、付勢部材８１に当接することとなる。
そして、当接面８２１は、長さ寸法Ｌ３が長さ寸法Ｌ０よりも大きく設定されているため、当接面８２１における最も−Ｙ軸側に位置する部位が第１当接位置８２１Ｂから第２当接位置８２１Ｃに変化する間に、図９（Ｂ）に示すように、付勢部材８１を上方側から押圧し始める。付勢部材８１は、当接部８２１にて押圧されると、図９（Ｂ）に示すように、長孔６１１内部に向けて湾曲する。
【００５９】
また、当接面８２１は、長さ寸法Ｌ４が長さ寸法Ｌ３と同一に設定されているため、当接面８２１における最も−Ｙ軸側に位置する部位が第２当接位置８２１Ｃから第３当接位置８２１Ｄに変化する間、図９（Ｃ）に示すように、付勢部材８１を一定の押圧力で上方側から押圧し続ける。
ここで、第２接続部６２Ａ，６２Ｂにおいて、−Ｚ軸側の端縁６２４には、図８または図９に示すように、第２プロジェクター２Ｄ側に突出した回転規制部６２５がそれぞれ設けられている。
そして、第１接続部５２Ａ，５２Ｂは、当接面８２１における最も−Ｙ軸側に位置する部位が第２当接位置８２１Ｃから第３当接位置８２１Ｄに変化すると、図９（Ｃ）に示すように、回転規制部６２５に当接することとなる。すなわち、第２支持部材６に対する第１支持部材５の回転が規制され、第１プロジェクター２Ｕは、第２位置に位置付けられる。
そして、図９（Ｃ）に示す状態では、第１支持部材５及び第１プロジェクター２Ｕの重心位置が中心線ＣＬに対して−Ｚ軸側に位置付けられるとともに、付勢部材８１にて当接部８２に対して付勢力が与えられている。このため、第１プロジェクター２Ｕは、第２位置に位置付けられた状態を維持することとなる。
【００６０】
上述した本実施形態によれば、以下に示す効果がある。
本実施形態では、支持具４は、第１，第２支持部材５，６及び移動機構７を備える。
このことにより、利用者は、第１，第２プロジェクター２Ｕ，２Ｄを第１，第２支持部材５，６に固定し、移動機構７にて第１，第２支持部材５，６を相対的に移動（回転）させる。このように移動（回転）させることで、第１プロジェクター２Ｕを、第２プロジェクター２Ｄの天面２１Ａの一部を覆う第１位置に位置付けることができる。
そして、第１プロジェクター２Ｕを第１位置に位置付けた状態で、第１，第２プロジェクター２Ｕ，２Ｄを動作させることで、スタック投射を行うことができる。
すなわち、第１，第２プロジェクター２Ｕ，２Ｄを第１，第２支持部材５，６に固定し、移動機構７にて第１プロジェクター２Ｕを第１位置に位置付けるだけで、第１，第２プロジェクター２Ｕ，２Ｄ間の相対的な位置関係を容易に規定できる。
したがって、第１，第２プロジェクター２Ｕ，２Ｄを備えたプロジェクションシステム１を構築する際に、支持具４を用いることで、プロジェクションシステム１を容易に構築することができる。
【００６１】
また、本実施形態では、移動機構７にて第１，第２支持部材５，６を相対的に移動させることで、第１プロジェクター２Ｕを、第２プロジェクター２Ｄの天面２１Ａから離間し当該天面２１Ａを開放する第２位置にも位置付けることができる。
すなわち、スタック投射を行う時には、第１プロジェクター２Ｕを第１位置に位置付ける。そして、スタック投射を行わない時には、第１プロジェクター２Ｕを第２位置に位置付ける。
このように、スタック投射を行わない時に第１プロジェクター２Ｕを第２位置に位置付けることで、第２プロジェクター２Ｄの天面２１Ａが開放される。このため、第２プロジェクター２Ｄの天面２１Ａに設けられ、電源ボタン２１１Ａ（図４）等を有する操作パネル２１１（図４）を利用者に操作させることができる。また、第２プロジェクター２Ｄの天面２１Ａに設けられ、内部の光源ランプ（図示略）を交換するためのランプ蓋２１２（図４）を利用者に着脱させることができる。
【００６２】
なお、第１プロジェクター２Ｕの天面２１Ａについては、開放された状態が維持されている。このため、第１プロジェクター２Ｕを第１位置に位置付けた状態であっても、第２位置に位置付けた状態であっても、第１プロジェクター２Ｕにおける操作パネル２１１（図２）の操作やランプ蓋２１２（図２）の着脱を利用者に実施させることができる。
以上のように、第１プロジェクター２Ｕを第２位置に位置付けることで、第２プロジェクター２Ｄの操作性やメンテナンス性が確保される。このため、スタック投射を行う時（第１プロジェクター２Ｕを第１位置に位置付けた時）に、第１，第２プロジェクター２Ｕ，２Ｄを近接した状態に設定することが可能となる。
すなわち、スタック投射を行う際に、第１，第２プロジェクター２Ｕ，２Ｄ及び支持具４が一体化されたユニットをコンパクトに纏めることができる。
【００６３】
さらに、移動機構７は、第１，第２仮想線ＶＬ１，ＶＬ２に直交する中心線ＣＬを中心として、第１，第２支持部材５，６を相対的に回転させる。
このことにより、移動機構７にて第１，第２支持部材５，６を相対的に回転させることで、第１プロジェクター２ＵからスクリーンＳｃに投射された画像の位置（投射位置）を調整し、第２プロジェクター２ＤからスクリーンＳｃに投射された画像に重ね合わせることができる。
したがって、移動機構７により、第１，第２プロジェクター２Ｕ，２Ｄやメンテナンス性を確保しつつ、投射位置の調整も行うことができ、利便性の向上が図れる。
【００６４】
また、一対の取付ネジ７１が第２プロジェクター２Ｄに対して−Ｚ軸側に配設されているので、第１プロジェクター２Ｕを第１位置に位置付けた状態で、第１，第２プロジェクター２Ｕ，２Ｄを近接した状態に設定することができる。
すなわち、上述したように第１，第２プロジェクター２Ｕ，２Ｄを近接した状態に設定しても、第１，第２プロジェクター２Ｕ，２Ｄの機械的な干渉を回避しつつ、第１，第２支持部材５，６を相対的に回転させて、第１プロジェクター２Ｕを第２位置に位置付けることができる。
したがって、スタック投射を行う際に、第１，第２プロジェクター２Ｕ，２Ｄ及び支持具４が一体化されたユニットをコンパクトに纏めることができる。
【００６５】
さらに、一対の取付ネジ７１を上述した位置に配設することで、第１プロジェクター２Ｕが第１位置に位置した状態から第２位置に位置した状態へと第２支持部材６に対して第１支持部材５を回転させた際に、第１，第２プロジェクター２Ｕ，２Ｄの各背面２１Ｄ（図６）を近接させることができる。
このため、例えば、第１，第２プロジェクター２Ｕ，２Ｄ間で信号を送受信させるために、第１，第２プロジェクター２Ｕ，２Ｄの各背面２１Ｄに設けられた接続端子（図示略）同士を信号ケーブル（図示略）で接続した場合において、以下の効果がある。
すなわち、第２支持部材６に対して第１支持部材５を回転させた場合であっても、接続端子と信号ケーブルとの接続状態を良好に維持できるとともに、長い信号ケーブルを用いる必要がない。
【００６６】
また、支持具４は、付勢力によって第１プロジェクター２Ｕの位置（第２位置）を維持する付勢部材８１を有する回転抑制機構８を備える。
このことにより、正置き設置の場合において、第１プロジェクター２Ｕや第１支持部材５の自重により、第１プロジェクター２Ｕが第１位置に戻る方向に、第２支持部材６に対して第１支持部材５が回転してしまうことを回避できる。
このため、正置き設置の場合において、第１プロジェクター２Ｕを第２位置に位置付けた状態で、第２プロジェクター２Ｄにおける操作パネル２１１の操作やランプ蓋２１２の着脱を利用者に良好に実施させることができる。
【００６７】
さらに、回転抑制機構８は、付勢部材８１の他、当接部８２を備える。
そして、当接部８２は、中心線ＣＬから端部８２１Ａ、第１〜第３当接位置８２１Ｂ〜８２１Ｄまでの長さ寸法Ｌ１〜Ｌ４が上述したように形成されている。
このことにより、第１プロジェクター２Ｕが第１位置に位置する状態から第２位置に位置する状態へと第１，第２支持部材５，６が相対的に回転するにしたがって、当接部８２から付勢部材８１への押圧力が大きいものとなる。言い換えれば、上述したように回転するにしたがって、当接部８２及び付勢部材８１間の摩擦力が大きいものとなる。
すなわち、回転抑制機構８は、上述したように回転する際のブレーキ機構として機能する。
したがって、天吊り設置の場合において、第１プロジェクター２Ｕを第１位置から第２位置に位置付ける際、第２支持部材６に対して第１支持部材５が急激に回転してしまうことを抑制できる。
【００６８】
また、移動機構７を構成する第１，第２接続部５２Ａ，５２Ｂ，６２Ａ，６２Ｂ及び取付ネジ７１は、それぞれ一対設けられている。このため、第１，第２固定部５１，６１の両側で第２支持部材６に対して第１支持部材５を取り付けることができる。
したがって、第２支持部材６に対する第１支持部材５の取付状態を安定化させることができるとともに、第２支持部材６に対して第１支持部材５を良好に回転させることができる。
【００６９】
なお、本発明は前述の実施形態に限定されるものではなく、本発明の目的を達成できる範囲での変形、改良等は本発明に含まれるものである。
前記実施形態では、第１プロジェクター２Ｕから左目用画像を第１直線偏光で投射させ、第２プロジェクター２Ｄから右目用画像を第２直線偏光で投射させ、すなわち、第１，第２直線偏光を利用して、投射画像ＰＦを立体視させていたが、これに限らない。
例えば、左回りの円偏光、及び右回りの円偏光を利用して投射画像を立体視させる構成を採用しても構わない。
このように構成した場合には、偏光眼鏡３も上記構成に対応させて、左目用透過部３１が左回りの円偏光及び右回りの円偏光の一方のみを透過させ、右目用透過部３２が他方のみを透過させる構成とする。
【００７０】
前記実施形態では、プロジェクションシステム１は、３Ｄプロジェクションシステムで構成されていたが、これに限らず、偏光眼鏡３を省略し、第１，第２プロジェクター２Ｕ，２Ｄから同一の画像を投射させる構成としても構わない。
【００７１】
前記実施形態では、移動機構７は、第１，第２支持部材５，６を相対的に回転させることで、第１プロジェクター２Ｕを第１位置または第２位置に位置付けていたが、これに限らない。本発明に係る移動機構としては、第２プロジェクター２Ｄの天面の少なくとも一部を覆う第１位置、または、第２プロジェクター２Ｄの天面２１Ａを開放する第２位置に第１プロジェクター２Ｕを位置付ける構成であれば、その他の構成、例えば、第２支持部材６に対して第１支持部材５をスライド移動させる構成としても構わない。
【００７２】
前記実施形態では、回転抑制機構８を構成する付勢部材８１は、板ばねで構成されていたが、これに限らず、当接部８２との間で摩擦力を変化させる部材であれば、その他の構成、例えば、ゴムやスポンジ等の弾性部材を採用しても構わない。
前記実施形態では、付勢部材８１が第２支持部材６に設けられ、当接部８２が第１支持部材５に設けられていたが、これに限らず、付勢部材８１を第１支持部材５に設け、当接部８２を第２支持部材６に設けた構成を採用しても構わない。
【産業上の利用可能性】
【００７３】
本発明は、第１，第２プロジェクターを備えたプロジェクションシステムに利用できる。
【符号の説明】
【００７４】
１・・・プロジェクションシステム、２Ｕ・・・第１プロジェクター、２Ｄ・・・第２プロジェクター、４・・・支持具、５・・・第１支持部材、６・・・第２支持部材、７・・・移動機構、８・・・回転抑制機構、２１・・・天面、７１・・・取付ネジ（回転軸）、８１・・・付勢部材、８２・・・当接部、ＶＬ１・・・第１仮想線、ＶＬ２・・・第２仮想線。
【図１】
0006007556.tif 000002
【図２】
0006007556.tif 000003
【図３】
0006007556.tif 000004
【図４】
0006007556.tif 000005
【図５】
0006007556.tif 000006
【図６】
0006007556.tif 000007
【図７】
0006007556.tif 000008
【図８】
0006007556.tif 000009
【図９】
0006007556.tif 000010